(57)【特許請求の範囲】
【請求項１】
主走査方向に延設されるとともに、前記主走査方向と交差する副走査方向に移動可能な読み取り手段と、
前記読み取り手段を移動させる移動機構と、を備える画像読取装置において、
前記移動機構は、
動力源によって駆動される駆動プーリーと、
従動回転可能な複数の従動プーリーと、
前記駆動プーリーと前記複数の従動プーリーとの間に係回され、前記読み取り手段を牽引する無端ベルトと、
前記無端ベルトにテンションを付与する付勢手段と、を備え、
前記無端ベルトにおいて、前記副走査方向に沿って延びるベルト区間であって前記読み取り手段を牽引する牽引区間は、複数の前記従動プーリーを構成する、固定的に設けられた第１従動プーリーと第２従動プーリーとの間に形成され、
前記駆動プーリーは、前記牽引区間に対し前記主走査方向に離れた位置に設けられ、
前記付勢手段の付勢力が、前記無端ベルトにおいて前記牽引区間を除くベルト区間に対して付与される、
ことを特徴とする画像読取装置。
【請求項２】
請求項１に記載の画像読取装置において、前記駆動プーリーは、前記副走査方向において前記第１従動プーリー及び前記第２従動プーリーから外側に突出しない位置に設けられている、
ことを特徴とする画像読取装置。
【請求項３】
請求項１または請求項２に記載の画像読取装置において、前記付勢手段は、前記無端ベルトにおいて最も距離が短いベルト区間に設けられている、ことを特徴とする画像読取装置。
【請求項４】
請求項１から請求項３のいずれか一項に記載の画像読取装置において、
複数の前記従動プーリーは、前記付勢手段による付勢方向に進退可能に設けられ、前記付勢手段の付勢力を受けて前記無端ベルトにテンションを付与する第３従動プーリーを備える、ことを特徴とする画像読取装置。
【請求項５】
請求項４に記載の画像読取装置において、前記第３従動プーリーを支持するとともに前記付勢手段によって付勢される、前記付勢方向に変位可能なホルダーを備え、
前記付勢手段が、前記ホルダーによって覆われている、
ことを特徴とする画像読取装置。
【請求項６】
請求項５に記載の画像読取装置において、前記付勢手段が圧縮バネである、ことを特徴とする画像読取装置。
【請求項７】
被記録媒体を搬送する搬送手段と、搬送される被記録媒体に記録を行う記録手段と、を備える記録機構部と、
前記記録機構部の上部に設けられた、請求項１から請求項６のいずれか一項に記載の前記画像読取装置と、を備える、
ことを特徴とする記録装置。
【請求項８】
請求項７に記載の記録装置において、前記付勢手段を含む付勢機構が、前記被記録媒体の搬送方向と交差する媒体幅方向において、前記被記録媒体の搬送領域を避けて配置されている、ことを特徴とする記録装置。
【請求項９】
請求項７または請求項８に記載の記録装置において、
前記画像読取装置は、前記記録機構部の上部において前記記録機構部に対し回動可能に連結され、回動することにより前記記録機構部の上部を開閉し、前記読み取り手段の移動領域を平面視して前記移動領域の外側に配置された、前記記録機構部に対して回動可能に連結される第１の連結部および第２の連結部と、を備え、
前記読み取り手段の動力源が、前記第１の連結部及び前記第２の連結部の少なくともいずれかに配置されている、ことを特徴とする記録装置。
【発明の詳細な説明】
【技術分野】
【０００１】
本発明は、原稿の画像を読み取る画像読取装置及び画像読取装置を備えた記録装置に関する。
【背景技術】
【０００２】
被記録媒体に記録を行う記録装置には、被記録媒体に記録を行う記録機構部と、原稿を読み取る読み取り機構部（画像読取装置、スキャナーとも言う）を一体に備える構成のものがある。  
ところで、フラットベッド型の画像読取装置における読取ユニットの移動機構には、駆動源により回転する駆動プーリー及び前記駆動プーリーに従動回転する従動プーリーに掛け回されたタイミングベルトに前記読取ユニットを固定し、駆動プーリーを回転させてタイミングベルトを移動させて前記読取ユニットを牽引する方式がある。  
例えば特許文献１では、読取ユニットの移動方向の両端に設けられた駆動プーリー及び従動プーリーにタイミングベルトが張架されている。
【先行技術文献】
【特許文献】
【０００３】
【特許文献１】特開平１１−２１５３２０号公報
【発明の概要】
【発明が解決しようとする課題】
【０００４】
ここで、前記タイミングベルトには、ベルトテンション機構により所定の張力（テンション）が与えられるように構成されている。  
特許文献１では、従動プーリーが無端ベルトの巻き回し方向に移動可能なホルダーに回転可能に軸支されており、前記ホルダーが、バネ等の付勢手段により駆動プーリーから離れる方向に付勢されて、タイミングベルトにテンションを付与するように構成されている。  
この構成では、前記読取ユニットの移動方向において、当該読取ユニットの移動領域に加え、前記付勢手段により付勢される従動プーリーの動作範囲が必要となり、画像読取装置の小型化には限界がある。
【０００５】
そこで本発明の目的は、無端ベルトを付勢する機構の設置に伴う装置の大型化を抑制することにある。
【課題を解決するための手段】
【０００６】
上記課題を解決するため、本発明の第１の態様に係る画像読取装置は、主走査方向に延設されるとともに、前記主走査方向と交差する副走査方向に移動可能な読み取り手段と、前記読み取り手段を移動させる移動機構と、を備える画像読取装置において、前記移動機構は、動力源によって駆動される駆動プーリーと、従動回転可能な複数の従動プーリーと、前記駆動プーリーと前記複数の従動プーリーとの間に係回され、前記読み取り手段を牽引する無端ベルトと、前記無端ベルトにテンションを付与する付勢手段と、を備え、前記無端ベルトにおいて、前記副走査方向に沿って延びるベルト区間であって前記読み取り手段を牽引する牽引区間は、複数の前記従動プーリーを構成する、固定的に設けられた第１従動プーリーと第２従動プーリーとの間に形成され、前記駆動プーリーは、前記牽引区間に対し前記主走査方向に離れた位置に設けられ、前記付勢手段の付勢力が、前記無端ベルトにおいて前記牽引区間を除くベルト区間に対して付与される、ことを特徴とする。
【０００７】
本態様によれば、前記無端ベルトにテンションを付与する為に前記第１従動プーリー或いは前記第２従動プーリーに動作範囲を設定する必要がなく、前記副走査方向において、少ないスペースで前記移動機構を設けることができる。以って、画像読取装置の小型化を実現できる。
【０００８】
本発明の第２の態様に係る画像読取装置は、第１の態様において、前記駆動プーリーは、前記副走査方向において前記第１従動プーリー及び前記第２従動プーリーから外側に突出しない位置に設けられている、ことを特徴とする。
【０００９】
本態様によれば、前記副走査方向において、より少ないスペースで前記移動機構を設けることができる。
【００１０】
本発明の第３の態様に係る画像読取装置は、第１の態様または第２の態様において、前記付勢手段は、前記無端ベルトにおいて最も距離が短いベルト区間に設けられている、ことを特徴とする。
【００１１】
本態様によれば、前記無端ベルトにテンションを付与する際の可動部材の可動領域を小さくできる。
【００１２】
本発明の第４の態様に係る画像読取装置は、第１の態様から第３の態様のいずれかにおいて、複数の前記従動プーリーは、前記付勢手段による付勢方向に進退可能に設けられ、前記付勢手段の付勢力を受けて前記無端ベルトにテンションを付与する第３従動プーリーを備える、ことを特徴とする。
【００１３】
本態様によれば、従動回転可能な第３従動プーリーによって前記無端ベルトにテンションを付与することができる。
【００１４】
本発明の第５の態様に係る画像読取装置は、第４の態様において、前記第３従動プーリーを支持するとともに前記付勢手段によって付勢される、前記付勢方向に変位可能なホルダーを備え、前記付勢手段が、前記ホルダーによって覆われている、ことを特徴とする。
【００１５】
本態様によれば、前記付勢手段が前記ホルダーによって覆われているので、前記付勢手段が露呈せず、見栄えの良い外観とすることができる。
【００１６】
本発明の第６の態様に係る画像読取装置は、第５の態様において、前記付勢手段が圧縮バネである、ことを特徴とする。
【００１７】
本態様によれば、前記付勢手段が前記ホルダーを介して前記第３従動プーリーに付勢力を与え、前記ホルダーによって前記付勢手段を覆う構成を容易に実現できる。
【００１８】
本発明の第７の態様に係る記録装置は、被記録媒体を搬送する搬送手段と、搬送される被記録媒体に記録を行う記録手段と、を備える記録機構部と、前記記録機構部の上部に設けられた、第１の態様から第６の態様のいずれかの前記画像読取装置と、を備える、ことを特徴とする。
【００１９】
本態様によれば、記録機構部と画像読取装置とを備える記録装置において、第１の態様から第６の態様のいずれかと同様の作用効果を得ることができる。
【００２０】
本発明の第８の態様に係る記録装置は、第７の態様において、前記付勢手段を含む付勢機構が、前記被記録媒体の搬送方向と交差する媒体幅方向において、前記被記録媒体の搬送領域を避けて配置されている、ことを特徴とする。
【００２１】
前記記録機構部において、前記被記録媒体の搬送領域には前記搬送手段或いは前記記録手段等の構成部材が設けられている。  
一方、前記画像読取装置を前記記録機構部の上部に設ける場合、前記付勢手段を含む付勢機構は下方に位置する前記記録機構部の構成部材と干渉しない高さに設ける必要がある。  
本態様によれば、前記付勢手段を含む付勢機構が、前記被記録媒体の搬送方向と交差する媒体幅方向において、前記搬送手段或いは前記記録手段等の構成部材が配置される被記録媒体の搬送領域を避けて配置されているので、前記付勢機構のレイアウトの自由度が向上する。
【００２２】
本発明の第９の態様に係る記録装置は、第７の態様または第８の態様において、前記画像読取装置は、前記記録機構部の上部において前記記録機構部に対し回動可能に連結され、回動することにより前記記録機構部の上部を開閉し、前記読み取り手段の移動領域を平面視して前記移動領域の外側に配置された、前記記録機構部に対して回動可能に連結される第１の連結部および第２の連結部と、を備え、前記読み取り手段の動力源が、前記第１の連結部及び前記第２の連結部の少なくともいずれかに配置されている、ことを特徴とする。
【００２３】
本態様によれば、前記駆動プーリーの前記動力源が、前記読み取り手段の移動領域を平面視して前記移動領域の外側に配置された、前記記録機構部に対して回動可能に連結される第１の連結部および第２の連結部に配置される、即ち前記画像読取装置を回動可能とするための構成部位を利用して前記動力源が配置されるので、装置の小型化を図ることができる。
【００２４】
加えて、画像読取装置における読み取り手段の動力源はモーターなどの重量物である場合が多いが、その様な重量物である前記動力源が前記移動領域ではなく、回動軸付近に配置されることとなる為、画像読取装置を開く際により小さい力で開くことができ、また、閉じる際も慣性が小さくなるので画像読取装置や記録機構部の破損を抑制できる。  
また、画像読取装置を所定の開き角で保持する所謂フリーストップ機構を設ける場合には、小さい力で画像読取装置を保持することができ、フリーストップ機構の低コスト化や軽量化を図ることができる。
【図面の簡単な説明】
【００２５】
【図１】本発明に係るプリンターの外観斜視図。
【図２】本発明に係るプリンターにおいて手差しカバーを開いた状態を表す外観斜視図。
【図３】本発明に係るプリンターにおいて画像読取装置を開いた状態を示す斜視図。
【図４】図１のＡ−Ａ矢視断面図。
【図５】図２のＢ−Ｂ矢視断面図。
【図６】画像読取装置の斜視図。
【図７】画像読取装置の平面図。
【図８】画像読取装置において原稿台を外した状態を示す斜視図。
【図９】画像読取装置において原稿台を外した状態を示す平面図。
【図１０】画像読取装置本体内に設けられた読み取り手段を示す斜視図。
【図１１】読み取り手段の移動機構の概略構成図。
【図１２】付勢機構の構成を説明するための斜視図。
【図１３】付勢機構周辺のＹ軸断面図。
【図１４】付勢機構周辺のＸ軸断面図。
【発明を実施するための形態】
【００２６】
［実施例１］
まず、本発明の一実施例に係る画像読取装置、及び画像読取装置を備えた記録装置の概略について説明する。本実施例において、記録装置の一例としてインクジェット式プリンター（以下、単にプリンターと称する）を例に挙げる。  
図１は、本発明に係るプリンターの外観斜視図である。図２は、本発明に係るプリンターにおいて手差しカバーを開いた状態を表す外観斜視図である。図３は、本発明に係るプリンターにおいて画像読取装置を開いた状態を示す斜視図である。図４は、図１のＡ−Ａ矢視断面図である。図５は、図２のＢ−Ｂ矢視断面図である。図６は、画像読取装置の斜視図である。図７は、画像読取装置の平面図である。
【００２７】
図８は、画像読取装置において原稿台を外した状態を示す斜視図である。図９は、画像読取装置において原稿台を外した状態を示す平面図である。図１０は、画像読取装置本体内に設けられた読み取り手段を示す斜視図である。図１１は、読み取り手段の移動機構の概略構成図である。図１２は、付勢機構の構成を説明するための斜視図である。図１３は、付勢機構周辺のＹ軸断面図である。図１４は、付勢機構周辺のＸ軸断面図である。
【００２８】
＜プリンターの全体構成について＞
以下、プリンター１の全体構成について概説する。  
本発明に係るプリンター１（図１）は、記録機構部本体２内に被記録媒体の一例としての用紙にインクジェット記録を行う記録手段（後述する記録ヘッド３０、図５参照）を備えて構成される記録機構部１５と、記録機構部本体２の上部に設けられ、原稿を読み取る画像読取装置３（図３）を備えている。即ちプリンター１は、インクジェット記録機能に加えてスキャナー機能を備える複合機として構成されている。尚、図３は、プリンター１において記録機構部１５の側面の外装を外した状態を示している。
【００２９】
尚、各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、以下において、プリンター１において用紙が搬送されていく搬送方向（＋Ｙ方向側）を「下流」といい、これと反対の方向（−Ｙ方向側）を「上流」という。
【００３０】
画像読取装置３（図３）は、記録機構部１５の記録機構部本体２に対して回動可能に設けられており、回動することにより、記録機構部１５の上部を閉じた状態（図１）と開いた状態（図３）とをとり得る。画像読取装置３の構成については後に更に詳述する。  
尚、画像読取装置３はその上部に開閉可能なカバー４（図１）を備えており、このカバー４が原稿台３ａ（図５、図６）を開閉する様に構成されている。またこのカバー４には弾性材（例えばスポンジ）により形成された原稿押さえマット（不図示）が設けられており、カバー４を閉じた際に、原稿台３ａに載置された原稿が前記原稿押さえマットにより押圧され、その被読み取り面が原稿台３ａに密着するようになっている。
【００３１】
装置前面において符号５は、電源ボタンや各種印刷設定・記録実行を行う操作ボタン、印刷設定内容や印刷画像のプレビュー表示などを行う表示部、等を備えて成る操作パネルである。
【００３２】
また、装置前面において符号９は下段側トレイ１３（図５）に設けられた開閉可能なカバーである。そして図５に示すように、このカバー９を開くことにより、下段側トレイ１３、上段側トレイ１４、排紙受けトレイ８、のこれらが露呈する様に構成されている。
【００３３】
排紙受けトレイ８は、図示しないモーターによって記録機構部本体２に収納された状態（図１）と、記録機構部本体２の前方側に突出した状態（図５）と、を取り得る様に設けられており、記録機構部本体２の前方側に突出した状態となることで、記録が行われて排出される用紙を受けることができる。
【００３４】
下段側トレイ１３と、その上部に設けられる上段側トレイ１４は、複数枚の用紙を収容可能であり、それぞれが独立して記録機構部本体２に対して着脱可能となっている。また、一方側が未装着状態であっても、他方側が装着されていれば、当該装着されているトレイから用紙を送り出すことができる様になっている。
【００３５】
また、記録機構部本体２の後方上部において符号６は開閉可能な手差しカバーであり、この手差しカバー６を図２のように開くことにより、手差しトレイ７を利用した用紙の手差しでの給紙が行える様になっている。  
尚、プリンター１の記録機構部１５における用紙搬送経路については後に説明する。
【００３６】
＜画像読取装置の構成について＞
続いて、画像読取装置３の構成について説明する。  
画像読取装置３（図３）は、前述したように、記録機構部１５の上部において、記録機構部１５の記録機構部本体２に対して回動可能に連結されており、回動することにより記録機構部１５の上部を開閉する。  
より具体的には、画像読取装置３は、第１の連結部３５および第２の連結部３６において、記録機構部１５に対して回動可能に連結されている。第１の連結部３５および第２の連結部３６には、それぞれに回動軸３５ａ、３６ａが設けられており、記録機構部本体２側に設けられる不図示の軸受けに回動軸３５ａ、３６ａが軸支されて、記録機構部１５の上部を開閉するように画像読取装置３が回動する。
【００３７】
画像読取装置３は原稿台３ａ（図６）を備え、原稿台３ａの上面が原稿を載置する原稿載置面となる。原稿台３ａは本実施例では透明なガラス板である。原稿台３ａの周囲は複数のフレーム３３ａ、３３ｂ、３３ｃ、３３ｄ（図６、図７）により構成されており、これらフレーム３３ａ、３３ｂ、３３ｃ、３３ｄにより画設された矩形領域（図７、符号３４）が、画像読取装置３の装置本体を構成する筐体４０内を移動する読み取り手段３７によって読み取りが可能な原稿読み取り領域３４となる。  
すなわち、本実施例において画像読取装置３はフラットべッド型のスキャナーであり、原稿台３ａの下側に、読み取り手段３７が原稿台３ａに対して相対的に移動可能に設けられている。
【００３８】
読み取り手段３７は筐体４０内に設けられ、主走査方向（Ｙ軸方向）に延設されるとともに、後述する移動機構４３により、前記主走査方向と交差する副走査方向（Ｘ軸方向）に移動可能に構成されている。尚、本実施例では、前記主走査方向は原稿読み取り領域の短辺方向に対応しており、前記副走査方向が原稿読み取り領域の長辺方向に対応している。  
読み取り手段３７は、その移動方向（Ｘ軸方向）において、原稿読み取り領域３４の＋Ｘ側の位置（図７において一点鎖線で示す読み取り手段３７の位置）から−Ｘ側の位置（図７において二点鎖線で示す読み取り手段３７の位置）まで移動する。したがって、符号３８の点線で示す矩形領域が読み取り手段３７の移動領域３８である。
【００３９】
尚、筐体４０の−Ｙ側の内壁面に沿って設けられるケーブル５２（図８）は、固定部５８ａ、５８ｂ、５８ｃによって内壁面に固定されている。ケーブル５２において、固定部５８ｃよりも＋Ｘ側の部分（可動部５３）はフリーの状態となっている。そして、可動部５３は、図９に示すように読み取り手段３７が移動すると、読み取り手段３７の移動に追従して変形可能に構成されている。
【００４０】
読み取り手段３７は、読取センサー３９と読取センサー３９を保持するセンサーキャリッジ４１とによって構成されている（図１０）。  
読取センサー３９は、不図示の光源と受光部を備え、原稿台３ａに載置された原稿に光源から光を照射し、該原稿からの反射光を受光部で受光して原稿の情報を読み取る光学センサーであり、例えばＣＣＤ（Charge Coupled Devices）方式或いはＣＩＳ（Contact
Image Sensor)方式の光学センサーを用いることができる。
【００４１】
読み取り手段３７（図１０）を構成するセンサーキャリッジ４１は、その下部に設けられる係合部６３においてガイド部４２に対して移動可能に係合し、ガイド部４２に案内されて、センサーキャリッジ４１を移動させる動力源としてのモーター４４（図８）の動力によって副走査方向（Ｘ軸方向）にスライドして移動するように構成されている。  
より具体的には、センサーキャリッジ４１は、以下に詳述するベルト駆動による移動機構４３（図８、図９）により駆動され、ガイド部４２に案内されてＸ軸方向にスライド移動する。すなわち、読み取り手段３７は、モーター４４の動力によって移動するように構成されている。  
尚、図１０において符号６４は、読取センサー３９とセンサーキャリッジ４１の間に設けられ、読取センサー３９を原稿台３ａの裏面に押し付けるためのバネである。
【００４２】
センサーキャリッジ４１（読み取り手段３７）の移動機構４３は、図８及び図９に示すように、モーター４４によって駆動される駆動プーリー４５と、駆動プーリー４５の回転に従動回転可能な複数の従動プーリーとしての第１従動プーリー４６及び第２従動プーリー４７と、これらのプーリーの間に係回される無端ベルト４８を備えている。
【００４３】
第１従動プーリー４６と第２従動プーリー４７は、筐体４０に固定的に設けられており、前記副走査方向に沿って延びる第１ベルト区間５４（図１１）を形成している。本実施例において第１従動プーリー４６と第２従動プーリー４７は、ガイド部４２の一方側端部付近と他方側端部付近とに配置されている。読み取り手段３７は、センサーキャリッジ４１の下面に設けられる不図示の取付部を介して、第１ベルト区間５４において無端ベルト４８に固定されている。したがって、第１ベルト区間５４が読み取り手段３７を牽引する牽引区間となる。  
本実施例では、ガイド部４２（図９を参照）近くに設けられる牽引区間（第１ベルト区間５４）において読み取り手段３７を牽引するので、読み取り手段３７を円滑に移動させることができる。
【００４４】
また、駆動プーリー４５は、牽引区間である第１ベルト区間５４に対し主走査方向に離れた位置に設けられている。本実施例では、駆動プーリー４５は−Ｙ方向側に位置している（図１１）。  
駆動プーリー４５を回転させるモーター４４が駆動することによって無端ベルト４８が回動し、センサーキャリッジ４１が無端ベルト４８に牽引されてＸ軸方向に往復移動する。
【００４５】
また、移動機構４３は、無端ベルト４８にテンションを与える付勢手段としての圧縮バネ６０（図１１、１２）によって構成される付勢機構４９を備えている。付勢機構４９は、圧縮バネ６０の付勢力が無端ベルト４８において牽引区間（第１ベルト区間５４）を除くベルト区間に対して付与される位置に設けられている。本実施例においては、付勢機構４９は駆動プーリー４５と第１従動プーリー４６の間の第２ベルト区間５５（図１１）に設けられている。
【００４６】
続いて付勢機構４９の構成について説明する。本実施例において付勢機構４９は、前述したように付勢力を発揮する圧縮バネ６０によって構成されている。  
圧縮バネ６０は、従動回転可能な第３従動プーリー５１を支持するホルダー６１を付勢するように設けられており、第３従動プーリー５１が、ホルダー６１を介して圧縮バネ６０の付勢力を受けて無端ベルト４８にテンションを付与するように構成されている。
【００４７】
第３従動プーリー５１は、ホルダー６１に設けられる軸７１（図１３）に回転可能に軸支されている。図１３において、符号７２は、軸７１から第３従動プーリー５１が抜けないようにする抜け止め用のネジである。
【００４８】
第３従動プーリー５１は、圧縮バネ６０による付勢方向（本実施例ではＸ軸方向）に進退可能に設けられている。より具体的には、第３従動プーリー５１を支持するホルダー６１が、図９及び図１３に示すように、筐体４０に形成される凹部６２に納められ、凹部６２内においてＸ軸方向にスライド可能に構成されている。尚、図１２は、ホルダー６１を納める前の凹部６２が露呈した状態を示している。  
図１４に示すように、ホルダー６１はスライド部６５を備え、凹部６２には、スライド部６５が係合してスライドするスライド溝６６が、スライド方向（Ｘ軸方向）に延設されている。  
また、ホルダー６１が凹部６２内に設けられていることにより、ホルダー６１が読み取り手段３７の移動領域側に突出しないようになっている。
【００４９】
ホルダー６１は、内部に圧縮バネ６０を収容可能に構成されており（図１３）、圧縮バネ６０は、ホルダー６１側の第１当接部６７と凹部６２内に設けられる第２当接部６８との間で付勢力を発揮する。これによりホルダー６１が＋Ｘ方向に付勢される。  
尚、筐体４０の凹部６２側の第２当接部６８には、圧縮バネ６０の位置決め部としての凸部６９が設けられている。
【００５０】
第３従動プーリー５１は、係回された無端ベルト４８の外側に設けられており（図１１）、ホルダー６１が＋Ｘ方向に付勢されることにより、第３従動プーリー５１によって無端ベルト４８にテンションが付与される。  
このように圧縮バネ６０をホルダー６１によって覆う構成とすることにより、圧縮バネ６０が露呈せず、見栄えの良い外観とすることができる。
【００５１】
付勢機構４９における付勢手段は圧縮バネ６０に限られず、引っ張りバネやねじりバネ等を用いることもできるが、圧縮バネ６０であると、ホルダー６１を介して第３従動プーリー５１に付勢力を与え、ホルダー６１によって圧縮バネ６０を覆う構成を容易に実現できる。また、付勢手段はホルダー６１に覆われず、露呈する構成とすることもできる。
【００５２】
付勢機構４９は、無端ベルト４８において最も距離が短いベルト区間（本実施例においては第２ベルト区間５５）に付勢力を付与する位置に設けられていることが望ましい。  
このことにより、無端ベルト４８にテンションを付与する際の可動部材（第３従動プーリー５１）の可動領域を小さくできる。  
尚、付勢機構４９は、第２ベルト区間５５の他、駆動プーリー４５と第２従動プーリー４７の間（第３ベルト区間５６）に設けることもできる。
【００５３】
移動機構４３が以上のように構成されていることにより、以下の作用効果が得られる。  
すなわち、固定的に設けられる２つの従動プーリー（第１従動プーリー４６と第２従動プーリー４７）の間の第１ベルト区間５４を牽引区間とし、前記牽引区間に対し主走査方向に離れた位置に設けられている駆動プーリー４５、第１従動プーリー４６、第２従動プーリー４７に係回される無端ベルト４８において、付勢機構４９の付勢力が牽引区間を除くベルト区間（第２ベルト区間５５）に対して付与されるように設けられているので、無端ベルト４８にテンションを付与する為に第１従動プーリー４６或いは第２従動プーリー４７に前記副走査方向（Ｘ軸方向）の動作範囲を設定する必要がなく、当該副走査方向において、少ないスペースで移動機構４３を設けることができる。以って、画像読取装置３を小型化することができる。
【００５４】
また本実施例において、駆動プーリー４５は、副走査方向（Ｘ軸方向）において第１従動プーリー４６及び第２従動プーリー４７から外側に突出しない位置に設けられている。したがって、より少ないスペースで移動機構４３を設けることができる。  
このことにより、画像読取装置３のＸ軸方向のサイズを読み取り手段３７の移動領域とほぼ同じにすることができる。  
尚、駆動プーリー４５が、副走査方向において第１従動プーリー４６及び第２従動プーリー４７の外側にある構成とすることも可能である。
【００５５】
また、圧縮バネ６０（付勢手段）を含む付勢機構４９は、図１１に示す様に、用紙Ｐの搬送方向と交差する媒体幅方向（Ｘ軸方向）において用紙Ｐの搬送領域７０を避けて配置するとよい。  
記録機構部１５において、用紙Ｐの搬送領域７０には第２給送ローラー２１（図５）等の搬送手段、或いは記録ヘッド３０を備えるキャリッジ２９（図４、図５）などの構成部材が設けられている。  
一方、画像読取装置３を記録機構部１５の上部に設ける場合、付勢機構４９は下方に位置する記録機構部１５の前記構成部材と干渉しない高さに設ける必要がある。  
圧縮バネ６０を含む付勢機構４９が、用紙Ｐの搬送方向と交差する媒体幅方向において、第２給送ローラー２１或いは記録ヘッド３０（キャリッジ２９）等が配置される用紙Ｐの搬送領域を避けて配置されているので、付勢機構４９のレイアウトの自由度が向上する。
【００５６】
続いて、モーター４４は、読み取り手段３７の移動領域３８を平面視したとき（図７）に移動領域３８の外側に配置される第１の連結部３５の位置に配置されている。  
画像読取装置３における読み取り手段３７の動力源であるモーター４４は、比較的重量がある（重たい）場合が多い。重量物であるモーター４４が画像読取装置３の回動軸３５ａが設けられる第１の連結部３５に配置されることにより、画像読取装置３を開く際により小さい力で開くことができる。また、閉じる際も慣性が小さくなるので、例えば画像読取装置３を閉じた際の衝撃等により画像読取装置３や記録機構部１５が破損する虞を抑制できる。
【００５７】
加えて、例えば画像読取装置３を所定の開き角で保持する、所謂フリーストップ機構を設ける場合には、小さい力で画像読取装置３を保持することができるので、フリーストップ機構の低コスト化や軽量化を図ることができる。以って、プリンター１の低コスト化、軽量化に繋がる。  
尚、モーター４４は、第１の連結部３５及び第２の連結部３６の少なくともいずれかに配置されていればよく、第２の連結部３６側に配置することも可能である。
【００５８】
また、モーター４４が、画像読取装置３を回動可能とするための構成部位である第１の連結部３５を利用して配置されているので、装置の小型化を図ることができる。  
尚、第１の連結部３５及び第２の連結部３６は、画像読取装置３の外観を構成する筐体４０の一部の区画であり、記録機構部本体２に連結される部分である。  
本実施例において読み取り手段３７の移動領域３８（図７を参照）は、Ｘ軸方向において、読み取り可能な最大サイズの原稿（例えばＡ４サイズやレターサイズ）に対応する原稿読み取り領域３４に対し、その両側に読み取り手段３７が位置する領域の分だけ大きくなっている。筐体４０のＸ軸方向の幅は、読み取り手段３７の移動領域３８に対応する大きさとなっている。
【００５９】
また、記録機構部１５は、画像読取装置３において読み取り可能な最大サイズの原稿と同サイズの用紙に対して記録を行うことができ、手差しトレイ７の用紙のセット口５０（図７）は、用紙の長辺を搬送方向（Ｙ軸方向）に沿う向きにしてセットするようになっている。  
そのため、用紙のセット口５０のＸ軸方向の幅は、筐体４０のＸ軸方向の幅よりも狭くなる。
【００６０】
図４のように、上下に重ねて配置される記録機構部本体２と筐体４０の幅サイズは同じである方が外観上見栄えもよく、凹凸のない取り扱い易い形状とすることができるが、セット口５０は筐体４０よりも幅狭であるので、Ｘ軸方向に余剰領域ができる。  
そこで本実施例では、第１の連結部３５及び第２の連結部３６は、セット口５０のＸ軸方向の余剰領域に設けられる区画として構成されている。
【００６１】
＜プリンターの用紙搬送経路について＞
以下において、図５を参照しつつプリンター１の記録機構部１５における用紙搬送経路について説明する。初めに、手差しトレイ７からの用紙の給送について説明し、その後、装置底部に設けられる下段側トレイ１３或いは上段側トレイ１４からの用紙の給送について説明する。  
尚、図５において、手差しトレイ７からの用紙Ｐの給送経路Ｔ１を二点鎖線で示している。また、下段側トレイ１３或いは上段側トレイ１４から搬送駆動ローラー２４の上流側までの用紙Ｐの給送経路Ｔ２を点線で示している。
【００６２】
手差しトレイ７のセット口５０にセットされた用紙は、最上位の用紙が第２給送ローラー２１によってピックアップされて下流側に送られる。  
第２給送ローラー２１の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００６３】
続いて液体としてのインクを吐出する記録ヘッド３０は、キャリッジ２９の底部に設けられ、当該キャリッジ２９は図示しないモーターによって副走査方向（Ｘ軸方向）に往復動する様に駆動される。
【００６４】
記録ヘッド３０と対向する位置には、搬送される用紙Ｐを支持する媒体支持部材２８が設けられ、当該媒体支持部材２８によって、用紙Ｐと記録ヘッド３０との間の間隔（ＰＧ）が規定される。  
そして媒体支持部材２８の下流側には、図示しないモーターによって回転駆動される排出駆動ローラー３１と、当該排出駆動ローラー３１に接して従動回転する排出従動ローラー３２とが設けられている。記録ヘッド３０によって記録の行われた用紙Ｐは、これらローラーにより、上述した排紙受けトレイ８へ向けて排出される。
【００６５】
またプリンター１は、装置底部に下段側トレイ１３及び上段側トレイ１４を備え、当該下段側トレイ１３或いは上段側トレイ１４からも用紙を１枚ずつ給送することができる。  
上段側トレイ１４は、給送可能位置（図５）と、装置前面側（図５において右方向：上段側トレイ１４の引き抜き方向側）に移動した退避位置(不図示）との間をスライド（変位）可能に設けられており、図示しないモーターの動力を受けて、給送可能位置と退避位置とを変位する様に構成されている。  
尚、図５においては、下段側トレイ１３に収容される用紙を符号Ｐ１で、上段側トレイ１４に収容される用紙を符号Ｐ２で、それぞれ示している（以下、特に区別する必要がない場合は「用紙Ｐ」と言う）。
【００６６】
図示しないモーターによって回転駆動される第１給送ローラー（ピックアップローラーとも呼ばれる）１０は、回動軸１２を中心に揺動するローラー支持部材１１（ピックアップアームや揺動部材とも呼ばれる）に設けられており、上段側トレイ１４が最も装置後方側（図５において左方向：上段側トレイ１４の装着方向側であり、用紙送り出し方向側でもある）にスライドした突き当たり位置にあるとき、即ち上段側トレイ１４の給送可能位置では、第１給送ローラー１０が上段側トレイ１４に収容された用紙Ｐ２の最上位のものと接して回転することにより、当該最上位の用紙Ｐ２を上段側トレイ１４から送り出す。
【００６７】
一方、上段側トレイ１４が装置前面側（＋Ｙ側）にスライドした状態、即ち上段側トレイ１４が前述した退避位置にあるときは、ローラー支持部材１１が回動軸１２を中心に揺動し、第１給送ローラー１０が下段側トレイ１３に収容された用紙Ｐ１の最上位のものと接することができ、第１給送ローラー１０が回転することにより、当該最上位の用紙Ｐ１を下段側トレイ１３から送り出すようになっている。  
尚、下段側トレイ１３及び上段側トレイ１４は、前述したように、いずれか一方側が装着されていない場合であっても、他方側から用紙を給送可能となっている。
【００６８】
第１給送ローラー１０の下流側には、図示しないモーターによって回転駆動される中間ローラー１７が設けられており、この中間ローラー１７によって用紙Ｐは湾曲反転させられ、装置前方側へと向かう。尚、符号１９、２０は従動回転可能な従動ローラーであり、少なくとも用紙Ｐは、従動ローラー１９と中間ローラー１７とによってニップされ、また従動ローラー２０と中間ローラー１７とによってニップされて、下流側へと送られる。
【００６９】
点線で示す給送経路Ｔ２に沿って送られた用紙は、搬送駆動ローラー２４及び搬送従動ローラー２５の手前において給送経路Ｔ１（二点鎖線）と合流し、それ以降下流側においては、手差しトレイ７から給送された用紙と同様に、搬送駆動ローラー２４及び搬送従動ローラー２５によって搬送され、記録ヘッド３０による記録が行われた後に、排出駆動ローラー３１及び排出従動ローラー３２により排紙受けトレイ８へ向けて排出される。
【００７０】
また、用紙Ｐの両面を記録する場合には、表（おもて）面を記録ヘッド３０で記録した後、スイッチバックさせることで、用紙Ｐを中間ローラー１７の下側から給送経路に侵入させ、湾曲反転させることで、用紙Ｐの裏（うら）面に記録を行うことができる。尚、符号１８は中間ローラー１７の回転に従動回転可能な従動ローラーである。
【００７１】
尚、本発明は上記実施形態に限定されることなく、特許請求の範囲に記載した発明の範囲内で種々の変形が可能であり、それらも本発明の範囲内に含まれるものであることは言うまでもない。
【符号の説明】
【００７２】
１…プリンター（記録装置）、２…記録機構部本体、３…画像読取装置、
４…カバー、５…操作パネル、６…手差しカバー、７…手差しトレイ、
８…排紙受けトレイ、９…カバー、１０…第１給送ローラー、
１１…ローラー支持部材、１２…回動軸、１３…下段側トレイ、
１４…上段側トレイ、１５…記録機構部、１７…中間ローラー、１８…従動ローラー、
１９…従動ローラー、２０…従動ローラー、２１…第２給送ローラー、
２４…搬送駆動ローラー、２５…搬送従動ローラー、２８…媒体支持部材、
２９…キャリッジ、３０…記録ヘッド（記録手段）、３１…排出駆動ローラー、
３２…排出従動ローラー、３３ａ、３３ｂ、３３ｃ、３３ｄ…フレーム、
３４…原稿読み取り領域、３５…第１の連結部、３６…第２の連結部、
３７…読み取り手段、３８…移動領域、３９…読取センサー、
４０…筐体、４１…センサーキャリッジ、４２…ガイド部、
４３…移動機構、４４…モーター（動力源）、４５…駆動プーリー、
４６…第１従動プーリー、４７…第２従動プーリー、４８…無端ベルト、
４９…付勢機構、５０…セット口、５１…第３従動プーリー、５２…ケーブル、
５３…可動部、５４…第１ベルト区間、５５…第２ベルト区間、
５６…第３ベルト区間、５８ａ、５８ｂ、５８ｃ…固定部、
６０…圧縮バネ（付勢手段）、６１…ホルダー、６２…凹部、６３…係合部、
６４…バネ、６５…スライド部、６６…スライド溝、６７…第１当接部、
６８…第２当接部、６９…凸部、７０…搬送領域、７１…軸、７２…ネジ、
Ｐ、Ｐ１、Ｐ２  用紙（被記録媒体）
【図１】
0006642796.tif 000002
【図２】
0006642796.tif 000003
【図３】
0006642796.tif 000004
【図４】
0006642796.tif 000005
【図５】
0006642796.tif 000006
【図６】
0006642796.tif 000007
【図７】
0006642796.tif 000008
【図８】
0006642796.tif 000009
【図９】
0006642796.tif 000010
【図１０】
0006642796.tif 000011
【図１１】
0006642796.tif 000012
【図１２】
0006642796.tif 000013
【図１３】
0006642796.tif 000014
【図１４】
0006642796.tif 000015